(57)【要約】      （修正有）【課題】購買意欲を刺激することのできる容器及び物品排出装置を提供する。【解決手段】容器本体１０の側周面の下端部には、当該容器本体１０の内部と外部とを連通する排出口部１７が設けられており、排出口部１７の上側には、容器本体１０の軸線に直交する方向を回動軸として回動自在な紙製の送り出し部材４０が、容器本体１０の内部を横切るように容器本体１０に軸支されており、送り出し部材４０を回動することにより、受皿部に受容されたカプセルが排出口部１７に向かって落下して排出口部１７から排出される物品排出装置である容器１を提供する。【選択図】図１
0003212118.tif 000002
【実用新案登録請求の範囲】
【請求項１】
上端部に上端開口部を有する筒形状の紙製の容器本体と、
前記容器本体の上端開口部を閉塞する蓋体と、
を備えた容器であって、
前記容器本体の側周面の下端部には、当該容器本体の内部と外部とを連通する排出口部が設けられており、
前記排出口部の上側には、前記容器本体の軸線に直交する方向を回動軸として回動自在な紙製の送り出し部材が、前記容器本体の内部を横切るように前記容器本体に軸支されており、
前記送り出し部材には、前記容器本体の内部に位置する有底の受皿部と、前記容器本体の内部に位置して、前記回動軸周りに沿って配列された複数の歯部を有する歯車状回転板部と、前記容器本体の外部に向けて差し出されて外部に露出しているハンドル部と、が設けられており、
さらに、前記容器本体の内部には、前記送り出し部材の受皿部に向かって傾斜する傾斜面を有する紙製で板片状の可撓性案内部が設けられている
ことを特徴とする容器。
【請求項２】
前記容器本体の側周面には、前記容器本体の内部を外部から視認可能とする透明部が形成されている
請求項１に記載の容器。
【請求項３】
請求項１又は請求項２に記載の容器の内部に、球状容器型の物品が複数収容されており、
前記受皿部は、単一の前記物品のみが受容可能とされており、
前記送り出し部材を回動することにより、前記受皿部に受容された前記物品が１個ずつ前記排出口部に向かって落下して前記排出口部から排出される
ことを特徴とする物品排出装置。
【考案の詳細な説明】
【技術分野】
【０００１】
本考案は、容器、及び前記容器内に球状容器型の物品が複数収容されて、送り出し部材を回動させることによって排出口部から当該物品が順次排出される物品排出装置に関する。
【背景技術】
【０００２】
従来の紙製容器にあっては、例えば特許文献１に開示された紙容器のように、内部に収容された物品を取り出す際に当該紙容器の所定部位を切り取る構成としたり、蓋を取って開口部を開放したりするものが主であった。
【先行技術文献】
【特許文献】
【０００３】
【特許文献１】特開２００９−６２０７８号公報
【考案の概要】
【考案が解決しようとする課題】
【０００４】
しかしながら、収容物の取り出し態様が陳腐化しており、当該容器を用いて商品を収容した場合、購買意欲を刺激するには限界が生じていた。
【０００５】
本考案は、従来にない構造で安定して物品を取り出し可能とし、購買意欲を刺激することができ、特に子供達に対して遊び心を刺激することのできる容器及び物品排出装置を提供することを目的とする。
【課題を解決するための手段】
【０００６】
本考案は、上端部に上端開口部を有する筒形状の紙製の容器本体と、前記容器本体の上端開口部を閉塞する蓋体と、を備えた容器であって、前記容器本体の側周面の下端部には、当該容器本体の内部と外部とを連通する排出口部が設けられており、前記排出口部の上側には、前記容器本体の軸線に直交する方向を回動軸として回動自在な紙製の送り出し部材が、前記容器本体の内部を横切るように前記容器本体に軸支されており、前記送り出し部材には、前記容器本体の内部に位置する有底の受皿部と、前記容器本体の内部に位置して、前記回動軸周りに沿って配列された複数の歯部を有する歯車状回転板部と、前記容器本体の外部に向けて差し出されて外部に露出しているハンドル部と、が設けられており、さらに、前記容器本体の内部には、前記送り出し部材の受皿部に向かって傾斜する傾斜面を有する紙製で板片状の可撓性案内部が設けられていることを特徴とする容器である。
【０００７】
上記構成にあって、前記容器本体の側周面には、前記容器本体の内部を外部から視認可能とする透明部が形成されているものが提案される。
【０００８】
さらに本考案は、前記容器の内部に、球状容器型の物品が複数収容されており、前記受皿部は、単一の前記物品のみが受容可能とされており、前記送り出し部材を回動することにより、前記受皿部に受容された前記物品が１個ずつ前記排出口部に向かって落下して前記排出口部から排出されることを特徴とする物品排出装置である。
【考案の効果】
【０００９】
本考案にかかる容器は、例えば球状容器型の物品を取り出したい者が送り出し部材のハンドル部を回動させることで、前記物品を排出口部から順次排出させることができる。
【００１０】
また本考案にかかる物品排出装置は、収容されている物品を、順次排出することができると共に、主に子供達に対して遊び心を刺激して、さらには物品の購買意欲を刺激することができる優れた効果がある。
【図面の簡単な説明】
【００１１】
【図１】実施例にかかる容器の正面図である。
【図２】実施例にかかる容器の蓋体を取り外した状態を示す平面図である。
【図３】実施例にかかる支持孔部材の正面図である。
【図４】実施例にかかる送り出し部材の平面図である。
【図５】実施例にかかる送り出し部材の正面図である。
【図６】実施例にかかる容器においてカプセルが受皿部に受容された状態を示す説明図である。
【図７】実施例にかかる容器おいてカプセルが収容されている態様を、蓋体を取り外した状態で示す平面図である。
【図８】（ａ）は歯部とカプセルが当接した状態を示す説明図であり、（ｂ）は可撓性案内部とカプセルが当接した状態を示す説明図である。
【図９】実施例にかかる容器においてカプセルが受皿部から落下する状態を示す説明図である。
【図１０】実施例にかかる容器の主要部のブランクを示す説明図である。
【考案を実施するための形態】
【００１２】
以下に本考案を具体化した実施例を詳細に説明する。なお、本考案は、下記に示す実施例に限定されることはなく、適宜、設計変更が可能である。
【００１３】
物品排出装置として用いられる容器１を図１，図２に従って説明する。
図１に示すように、容器１は、有底で円筒形状である容器本体１０を備えている。また、容器本体１０の上端部には、内容物を出し入れすることができる上端開口部１１が形成されている。そして、容器本体１０の上端部には、上端開口部１１を閉塞する蓋体２０が装着されている。
【００１４】
さらに、容器本体１０について詳述する。
容器本体１０の底部に対応する側周面は、紙製の底筒部１５によって構成されている。なお、底筒部１５の下端部には、円板形状の底板１６（図１０参照）が内嵌されている。
【００１５】
また、底筒部１５より上側の側周面であって容器本体１０の略下半分の側周面は、紙製の下筒部１２によって構成されている。さらに、下筒部１２より上側の側周面は、透明なプラスチック材料からなり、容器本体１０内部が外部から視認可能とされる上筒部１３によって構成されている。なお、上筒部１３によって、本発明にかかる透明部が構成される。
【００１６】
さらに、上筒部１３より上側の側周面は、紙製の上端筒部１４によって構成されており、上端筒部１４の上端に、上述した上端開口部１１が形成されている。なお、上端開口部１１を閉塞する蓋体２０は、紙製の蓋体筒部２１によって側周面が構成されており、円板形状の天板２２が内嵌されている。
【００１７】
また、上述した下筒部１２には、容器本体１０の内部と外部とを連通する排出口部１７が設けられている。また、排出口部１７の上側には、後述する送り出し部材４０のハンドル部４４が配置されるハンドル孔部１８が形成されている。
【００１８】
一方、図２，３に示すように、容器本体１０の内部には、支持孔部材３０が起立状に取り付けられている。さらに詳述すると、支持孔部材３０は、図３に示すように、１枚の紙製のブランクを折り曲げ加工してなる。具体的には、最下部に、排出坂部３１が形成されている。排出坂部３１は、容器本体１０の排出口部１７に臨む位置に配されており、下に向かうに従って排出口部１７側へ下方傾斜している。また、排出坂部３１の上端部には、上に向かって延出された縦板部３２が形成されている。そして、縦板部３２のほぼ中央に、円形状の支持孔部３６が貫通状に形成されている。
【００１９】
また、縦板部３２の左右両側には、それぞれ板片状の可撓性案内部３４，３５が左右一対で形成されている。そして、左右一対の可撓性案内部３４，３５のうち、左側可撓性案内部３４の上端部に傾斜面３４ａが形成されており、右側可撓性案内部３５の上端部に傾斜面３５ａが形成されている。
【００２０】
さらに、縦板部３２の上端部には、傾斜面３３ａを有する中央案内部３３が形成されている。
【００２１】
なお、傾斜面３３ａ，３４ａ，３５ａは、後述する送り出し部材４０の受皿部４２に向かって傾斜しており、カプセルＣを受皿部４２の方向へ適切に案内する機能を有する。
【００２２】
また、図２に示すように、容器本体１０には、紙製で略六角柱形状の送り出し部材４０が容器本体１０を横断するように横向きで取り付けられている。
【００２３】
さらに詳述すると、図４，図５に示す送り出し部材４０は、図６に示すように、上述した容器本体１０のハンドル孔部１８と支持孔部材３０の支持孔部３６とにそれぞれ両端部が挿通されて、このハンドル孔部１８と支持孔部３６とによって回動自在に軸支されている。かかる状態で、送り出し部材４０は、容器本体１０の上下方向の軸線に直交する方向を回動軸として回動自在となっている。
【００２４】
また、図４，５に示すように、送り出し部材４０は、略六角柱形状の本体部４１と、本体部４１の略中央に本体部４１の一部を切欠して形成された有底の受皿部４２と、受皿部４２の端部にフランジ状に設けられた歯車状回転板部４３と、を備えている。
【００２５】
なお、歯車状回転板部４３は、送り出し部材４０の回動軸周りに沿って配列された複数の歯部４７を外周部に有している。さらに各歯部４７は、送り出し部材４０の回動軸に沿う方向に折り曲げられており、可撓性を有して弾性変形自在となっている。
【００２６】
さらに、本体部４１において、ハンドル孔部１８から外向きに差し出されて外部に露出するハンドル部４４と、支持孔部３６に差し込まれる軸部４５とが形成されている。
【００２７】
ここで、軸部４５には支持孔部３６から送り出し部材４０が抜け出ることを防止する切片４６が複数切り起こされて設けられている。
【００２８】
そして、上述した容器１の内部には、図７に示すように、球状容器型の物品である複数のカプセルＣが収容される。
【００２９】
一方、カプセルＣを容器１から取り出す際には、図６に示すように、送り出し部材４０のハンドル部４４を手で回動させる。そうすると、図８（ａ）に示すように、歯車状回転板部４３の歯部４７が複数のカプセルＣに当接しながら収容されているカプセルＣを攪拌してランダム性を向上させると共に、いずれかのカプセルＣが、受皿部４２に受け入れられる。
【００３０】
このとき、容器１内においては、図８（ｂ）に示すように、中央案内部３３と左側可撓性案内部３４及び右側可撓性案内部３５が適度に撓んで、カプセルＣが詰まって送り出し部材４０が噛んでしまうことを防止すると共に、傾斜面３３ａ，３４ａ，３５ａが受皿部４２に向かって傾斜していることで、カプセルＣを受皿部４２の方向へ適切に案内する。
【００３１】
そして、送り出し部材４０の回動に伴って受皿部４２が下向きになると、受けいれられたカプセルＣが排出坂部３１に向かって落下して、排出坂部３１を転がって容器本体１０の排出口部１７から外部へ排出される。
【００３２】
なお、受皿部４２の寸法形状は、単一のカプセルＣのみが収容されうる寸法形状とされるのが好適であるが、適宜、寸法形状を変更することも可能である。
【００３３】
上述した容器１は、送り出し部材４０のハンドル部４４を手で回動させることによって内部に収容されたカプセルＣを順次排出させることができ、物品排出装置として、子供達の遊び道具として用いることができる。また、興趣性の高い販促品、ノベルティ、又は景品プレゼントのツールとして使用することもできる。また、主要部が紙製であることから、安価に製造できる。さらに、カプセルＣを傷つけることがなく、使用者に怪我を負わせるような心配がない。なお、カプセルＣには、当たりくじ、おみくじ、お菓子、又はおもちゃなどが収容可能である。
【００３４】
容器１の主要部は、例えば図１０に示したように全て紙製のブランクを適宜折り曲げ加工することによって製造することができ、大量生産にも向いている。
【００３５】
なお、容器本体１０は円筒形状である必要はなく、多角筒形状であっても構わない。送り出し部材４０の形状も特に限定されない。容器本体１０の側周面には、透明な上筒部１３は必須のものではないが、容器１に収容されたカプセルＣやその内部を外部から視認可能とすることで、入手欲求を高めて容器１の使用を促す効果が期待できる。また、容器本体１０の外周面には、オリジナルな印刷図柄を付してもよい。また、左側可撓性案内部３４及び右側可撓性案内部３５の高さを互いに異ならせてもよい。例えば、送り出し部材４０が一般的に時計回りに回動されることを考慮して、左側可撓性案内部３４の高さよりも右側可撓性案内部３５の高さの方を高くし、歯車状回転板部４３の歯部４７が時計回りに回動する際に先に左側可撓性案内部３４寄りのカプセルＣに当接しやすくする構成が提案される。
【符号の説明】
【００３６】
１            容器（物品排出装置）
１０          容器本体
１１          上端開口部
１７          排出口部
２０          蓋体
３４          左側可撓性案内部
３４ａ        傾斜面
３５          右側可撓性案内部
３５ａ        傾斜面
４０          送り出し部材
４１          本体部
４２          受皿部
４３          歯車状回転板部
４４          ハンドル部
４７          歯部
Ｃ            カプセル
【図１】
0003212118.tif 000003
【図２】
0003212118.tif 000004
【図３】
0003212118.tif 000005
【図４】
0003212118.tif 000006
【図５】
0003212118.tif 000007
【図６】
0003212118.tif 000008
【図７】
0003212118.tif 000009
【図８】
0003212118.tif 000010
【図９】
0003212118.tif 000011
【図１０】
0003212118.tif 000012